(57)【要約】    【課題】  ＶｏＩＰ電話システムに用いられる通信装置において、呼接続を管理するサーバ装置にアクセスできない場合でも、最小限の相手先との接続を可能にする。    【解決手段】  通信装置４の呼制御部４０１は、発呼により電話番号を得て、サーバ装置に対し該電話番号に対応する通信装置への接続要求を行った場合に、該サーバ装置から応答が得られなかったとき、対応記憶部４０３ｂに、該電話番号に対応するＩＰアドレスが記憶されているときは、このＩＰアドレスをあて先とした接続要求を行い、サーバ装置を介さず、直接接続相手と呼接続処理して、ＶｏＩＰによる通話接続を行う。【選択図】  図２
2005094695.tif 000002
【特許請求の範囲】
【請求項１】
コンピュータ通信網に接続されているサーバ装置を用いて、通信相手先の通信装置との間で該コンピュータ通信網を用いた音声通話を行う呼制御手順を実行する機能を備えた通信装置であって、
通信相手の通信装置のアドレスと、当該通信相手の電話番号との対応関係を記憶する対応記憶手段と、
発呼により電話番号を受け、前記サーバ装置のアドレスに対して通話接続の要求をし、該サーバ装置を用いて通信相手の通信装置との呼接続処理を行う呼制御手段と、を備え、
前記呼制御手段は、
前記サーバ装置に対して通話接続の要求をした後、該サーバ装置から応答が得られない場合に、前記対応記憶手段に記憶されている前記電話番号に対応する通信相手の通信装置のアドレスを得て、当該アドレスに対して、通話接続の要求を行うことを特徴とする通信装置。
【請求項２】
請求項１記載の通信装置であって、
前記呼制御手段は、
前記対応記憶手段に前記電話番号が記憶されていな場合に、接続不可の表示を行うことを特徴とするＶｏＩＰ通信装置。
【請求項３】
請求項１記載の通信装置であって、
前記呼制御手段は、
前記対応記憶手段に、前記電話番号に対応する通信相手の通信装置のアドレスが複数存在する場合に、この一つを選択して、該選択したアドレスに対して、通話接続の要求を行うことを特徴とする通信装置。
【請求項４】
請求項３記載の通信装置であって、
前記呼制御手段は、
前記対応記憶手段に、前記電話番号に対応する通信相手の通信装置のアドレスが複数存在し、選択したアドレスに対して、通話接続の要求を行った場合であって、通信相手の通信装置から接続不可が通知されたとき、他の対応するアドレスを選択して、該選択したアドレスに対して、通話接続の要求を行うことを特徴とする通信装置。
【請求項５】
請求項１記載の通信装置であって、
前記サーバ装置が複数存在する場合に、
前記呼制御手段は、
前記複数のサーバ装置に対して順次通話接続の要求をした後、該複数のサーバ装置の全てから応答が得られない場合に、前記対応記憶手段に記憶されている前記電話番号に対応する通信相手の通信装置のアドレスを得て、当該アドレスに対して、通話接続の要求を行うことを特徴とする通信装置。
【発明の詳細な説明】
【技術分野】
【０００１】
本発明は、ＩＰ（Internet Protocol）網などのコンピュータ通信網を介して音声通信を実現する呼制御機能（ＶｏＩＰ（Voice over IP）の呼制御機能）を備えた通信装置に関する。
【背景技術】
【０００２】
インターネット電話システムなどのＩＰ網を介して音声通信を実現するＶｏＩＰ通信システムが提案されている。
【０００３】
従来のＶｏＩＰ通信システムでは、発呼側の音声通信装置を収容するＶｏＩＰ通信装置や発呼側のＩＰ電話機が、呼の発信先電話番号をＩＰアドレスに変換し、このＩＰアドレスを持つ着呼側の音声通信装置を収容するＶｏＩＰ通信装置や着呼側のＩＰ電話機と、ＩＰパケットを用いて呼制御メッセージを送受し呼制御手順を行うか、あるいは、発呼側の音声通信装置を収容するＶｏＩＰ通信装置やＩＰ電話機並びに着呼側の音声通信装置を収容するＶｏＩＰ通信装置やＩＰ電話機を管理するサーバ装置（コール・エージョント装置またはゲート・キーパ装置）が、このＶｏＩＰ通信装置より呼の発信先電話番号を受け取ってＩＰアドレスに変換し、このＩＰアドレスを持つ着呼側の音声通信装置を収容するＶｏＩＰ通信装置や着呼側のＩＰ電話機と、ＩＰパケットを用いて呼制御メッセージを送受し呼制御手順を行うことにより、呼を接続している。
【特許文献１】特開２００３−１８１８２号公報
【発明の開示】
【発明が解決しようとする課題】
【０００４】
ところで、呼の発信先電話番号に対応するＩＰアドレスを得る方式として、サーバ装置に問い合わせて行う方式を採用している場合、サーバ装置の障害や回線障害などで、サーバ装置からＩＰアドレスを得られない。
【０００５】
このような場合、従来のＶｏＩＰ通信システムでは、発呼側の音声通信装置を収容するＶｏＩＰ通信装置やＩＰ電話機は、呼接続不可と判断して接続不可音（ビジー・トーン）を送出して操作者に接続不可を伝えて、通信の確立を行わない。
【０００６】
また、呼の発信先電話番号に対応するＩＰアドレスを得る方式として、発呼側の音声通信装置を収容するＶｏＩＰ通信装置や発呼側のＩＰ電話機が、自ら呼の発信先電話番号をＩＰアドレスに変換する方式を採用している場合、ＶｏＩＰ通信装置やＩＰ電話機の増設、設置場所の変更、更には、ＩＰ網の構成変更が行われたとき、正確なＩＰアドレスを得られない。
【０００７】
このような場合、全てのＶｏＩＰ通信装置やＩＰ電話機にこれらの変更内容を設定する必要があるため、この方式を大規模なインターネット電話システムに採用することが困難なものとされえている。
【０００８】
本発明は上記事情に鑑みてなされたものであり、本発明の目的は、呼の発信先電話番号に対応するＩＰアドレスを得る方式として、サーバ装置に問い合わせ、サーバ装置を代理装置とする通信方式を採用している場合において、サーバ装置の障害や回線障害などで、サーバ装置からＩＰアドレスを得られないときでも、最小限の通信接続を可能にする通信装置を提供することにある。
【課題を解決するための手段】
【０００９】
上記課題を解決するために、本発明の通信装置は、コンピュータ通信網に接続されているサーバ装置を用いて、通信相手先の通信装置との間で該コンピュータ通信網を用いた音声通話を行う呼制御手順を実行する機能を備えた通信装置であって、通信相手の通信装置のアドレスと、当該通信相手の電話番号との対応関係を記憶する対応記憶手段と、発呼により電話番号を受け、前記サーバ装置のアドレスに対して通話接続の要求をし、該サーバ装置を用いて通信相手の通信装置との呼接続処理を行う呼制御手段と、を備え、前記呼制御手段は、前記サーバ装置に対して通話接続の要求をした後、該サーバ装置から応答が得られない場合に、前記対応記憶手段に記憶されている前記電話番号に対応する通信相手の通信装置のアドレスを得て、当該アドレスに対して、通話接続の要求を行うことを特徴とする。
【発明の効果】
【００１０】
ＩＰ（Internet Protocol）網などのコンピュータ通信網を介して音声通信を実現する呼制御機能（ＶｏＩＰ（Voice over IP）の呼制御機能）を備えた通信装置において、ＶｏＩＰ通信システムが、呼の発信先電話番号に対応するＩＰアドレスを得る方式としてサーバ装置に問い合わせ、サーバ装置を代理装置とする通信方式を採用している場合に、サーバ装置の障害や回線障害などで、サーバ装置からＩＰアドレスを得られず、または、サーバ装置にアクセスできないときでも、最小限の通信接続を可能にするので、サーバ装置障害時であっても、例えば緊急連絡先や重要人物への通信接続を確保することができる。
【発明を実施するための最良の形態】
【００１１】
以下、本発明の実施形態について、図面を参照して説明する。
【００１２】
まず、本発明の第１実施形態について説明する。
【００１３】
図１は、本発明の第１実施形態が適用されたＶｏＩＰ通信システムの概略構成図である。
【００１４】
図において、音声端末である電話機（ＴＥＬ）５１を収容するＶｏＩＰ通信装置（ＧＷ）４１は、ＬＡＮ（Local Area Network）２１およびルータ（Ｒ）３１を介して、ＩＰ網１に接続されており、また、ＩＰ電話機（ＩＰ−ＴＥＬ）６１も同様に、ＬＡＮ２１およびルータ３１を介して、ＩＰ網１に接続されている。音声端末である電話機５２を収容するＶｏＩＰ通信装置４２は、ＬＡＮ２２およびルータ３２を介して、ＩＰ網１に接続されており、また、ＩＰ電話機６２も同様に、ＬＡＮ２１およびルータ３１を介して、ＩＰ網１に接続されている。
【００１５】
また、音声端末である電話交換装置（ＰＢＸ）５３を収容するＶｏＩＰ通信装置４３〜４６は、ＬＡＮ２４およびルータ３４を介して、ＩＰ網１に接続されている。そして、ＶｏＩＰ通信装置４１〜４６やＩＰ電話機６１、６２を管理するサーバ装置（ＣＡ：コール・エージェント装置またはゲート・キーパ装置）７１は、ＬＡＮ２３およびルータ３３を介してＩＰ網１に接続されている。
【００１６】
ここで、ＶｏＩＰ通信装置４１のＩＰアドレスは自身が収容する電話機５１の電話番号に対応付けられ、ＶｏＩＰ通信装置４２のＩＰアドレスは自身が収容する電話機５２の電話番号に対応付けられ、そして、ＶｏＩＰ通信装置４３〜４６各々のＩＰアドレスは、自身が収容するＰＢＸ５３の同じ電話番号（特番、いわゆる代表番号）に対応付けられている。
【００１７】
上記のような構成において、ＶｏＩＰ通信装置４１〜４６（以下、単にＶｏＩＰ通信装置４とも称する）およびＩＰ電話機６１、６２（以下、単にＩＰ電話機６とも称する）は、ルータ３１〜３４（以下、単にルータ３とも称する）、ＬＡＮ２１〜２４（以下、単にＬＡＮ２とも称する）および／またはサーバ装置７１（以下、単にサーバ装置７とも称する）を介して、ＩＰ網１より音声通信を行う通信接続メッセージを格納した自装置宛のＩＰパケットを受け取ると、このＩＰパケットの送信元ＶｏＩＰ通信装置４またはＩＰ電話機６との間で、ＩＰパケットを用いて音声通信を行う通信接続メッセージを送受することにより呼制御手順（例えば、ＩＴＵ-ＴのＨ．３２３やＲＦＣのＳＩＰ（Session Initiation Protocol）の規格に順じた呼制御手順）を行う。これにより、呼を接続して、自身が収容する音声端末５またはＩＰ電話機６と前記送信元ＶｏＩＰ通信装置４が収容する音声端末５またはＩＰ電話機６との間の音声通話路を確立する。そして、ＩＰ網１を介して音声信号をＩＰパケットにより送受信し通話を行う。
【００１８】
また、ＶｏＩＰ通信装置４は、自身が収容する音声端末５からの発信を認識すると、ＬＡＮ２、ルータ３およびＩＰ網１を介して、この呼の発信先電話番号に対応するＩＰアドレスを持つＶｏＩＰ通信装置４またはＩＰ電話機６との間で、ＩＰパケットを用いて音声通信を行う通信接続メッセージを送受することにより呼制御手順を行う。これにより、呼を接続して、自身が収容する音声端末５および発信先電話番号により特定される音声端末５またはＩＰ電話機６との間で音声通話路を確立する。
【００１９】
次に、ＶｏＩＰ通信装置４について、さらに詳細に説明する。
【００２０】
図２は、ＶｏＩＰ通信装置４の概略構成図である。
【００２１】
図において、音声端末ＩＦ部４０４は、音声端末５を接続するためのものであり、音声端末５が採用するインターフェースに従って処理を行う。これにより、音声端末５およびＩＰパケット処理部４０６間の音声データの中継を行う。また、音声端末ＩＦ部４０４は、音声端末５より送られてきた呼制御に関連する情報を検出して、呼制御部４０１に通知する。
【００２２】
ＬＡＮＩＦ部４０５は、ＬＡＮ２を接続するためのものであり、ＬＡＮ２が採用するインターフェースに従って処理を行う。これにより、ＬＡＮ２およびＩＰパケット処理部４０６間のＩＰパケットの中継を行う。
【００２３】
ＩＰパケット処理部４０６は、呼制御部４０１よりの指示に従い、音声端末ＩＦ部４０４より送られてきた音声データおよび呼制御部４０１より送られてきた音声通信を行う通信接続メッセージを、呼制御部４０１より通知されたＩＰアドレスを宛先とするＩＰパケットに変換して、ＬＡＮＩＦ部４０５へ送る。また、ＬＡＮＩＦ部４０５より送られてきた自身のＶｏＩＰ通信装置４宛のＩＰパケットからデータを抽出し、このデータを、呼制御部４０１よりの指示に従い、音声端末ＩＦ部４０４あるいは呼制御部４０１へ送る。
【００２４】
記憶部４０３には、ＣＡ記憶部４０３ａと対応記憶部４０３ｂを含んでおり、図３に示すように、ＣＡ記憶部４０３ａには、ＶｏＩＰ通信装置４やＩＰ電話機６を管理するサーバ装置７に対応するＩＰアドレス４０３ａ−２が設定記憶されており、また、図４に示すように、対応記憶部４０３ｂには、電話番号４０３ｂ−１と、この電話番号を持つ音声端末５を収容するＶｏＩＰ通信装置４およびＩＰ電話機６のＩＰアドレス４０３ｂ−２との対応関係が設定記憶されている。ここで、ＩＰアドレス４０３ｂ−２は、テーブル４０３ｂ３に示すように一つの電話番号に対して複数のＩＰアドレスを対応付けることができ、図１に示すＬＡＮ２４の接続形態で電話番号がＰＢＸ５３の代表番号であるように設定することができる。
【００２５】
トーン生成部４０２は、呼制御部４０１よりの指示に従って各種トーン信号を生成し、音声端末ＩＦ部４０４を介して音声端末５に、生成したトーン信号を送出する。
【００２６】
また、端末ＩＦ部４０７は、保守端末を接続するインターフェースであり、また、設定部４０８は、記憶部４０３内のＣＡ記憶部４０３ａおよび対応記憶部４０３ｂに情報を設定するものである。そして、設定部４０８の制御に従い、該保守端末から、記憶部４０３内のＣＡ記憶部４０３ａに対して、ＶｏＩＰ通信装置４やＩＰ電話機６を管理するサーバ装置７のＩＰアドレスを設定登録し、さらに、対応記憶部４０３ｂに対して、電話番号４０３ｂ−１と、この電話番号を持つ音声端末５を収容するＶｏＩＰ通信装置４およびＩＰ電話機６のＩＰアドレス４０３ｂ−２との対応関係を設定登録することができるように構成している。
【００２７】
そして、呼制御部４０１は、図１０〜図１３および図１６に示すフローに従って処理を行うことにより、呼を接続して、自身のＶｏＩＰ通信装置４が収容する音声端末５および通信相手のＶｏＩＰ通信装置４またはＩＰ電話機６間の音声通話路を確立する。
【００２８】
次に、ＩＰ電話機６について、さらに詳細に説明する。
【００２９】
図５は、ＩＰ電話機６の概略構成図である。
【００３０】
図において、通話部６０４は、フックボタンを有してハンドセット６０９を接続するためのものであり、ハンドセット６０９を介して送受信される音声信号／音声データの処理を行う。これにより、ハンドセット６０９およびＩＰパケット処理部６０６間の音声データの中継を行う。
【００３１】
ＬＡＮＩＦ部６０５は、ＬＡＮ２を接続するためのものであり、ＬＡＮ２が採用するインターフェースに従って処理を行う。これにより、ＬＡＮ２およびＩＰパケット処理部６０６間のＩＰパケットの中継を行う。
【００３２】
ＩＰパケット処理部６０６は、呼制御部６０１よりの指示に従い、通話部６０４より送られてきた音声データおよび呼制御部６０１より送られてきた音声通信を行う通信接続メッセージを、呼制御部６０１より通知されたＩＰアドレスを宛先とするＩＰパケットに変換して、ＬＡＮＩＦ部６０５へ送る。また、ＬＡＮＩＦ部６０５より送られてきた自身のＩＰ電話機６宛のＩＰパケットからデータを抽出し、このデータを、呼制御部６０１よりの指示に従い、通話部６０４あるいは呼制御部６０１へ送る。
【００３３】
操作部６０７は、ダイヤルボタンおよび機能ボタン並びに文字表示器を有しており、操作者が入力したダイヤル（電話番号）を呼制御部６０１に伝えるものである。呼制御部６０１はこれを受けてＩＰパケット処理部６０６に、音声通信を行う通信接続メッセージをＩＰパケットに変換して、ＬＡＮＩＦ部６０５へ送る。
【００３４】
記憶部６０３には、ＣＡ記憶部６０３ａと対応記憶部６０３ｂを含んでおり、図６に示すように、ＣＡ記憶部６０３ａには、ＶｏＩＰ通信装置４やＩＰ電話機６を管理するサーバ装置７に対応するＩＰアドレス６０３ａ−２を設定記憶されており、また、図７に示すように、対応記憶部６０３ｂには、電話番号６０３ｂ−１と、この電話番号を持つ音声端末５を収容するＶｏＩＰ通信装置４およびＩＰ電話機６のＩＰアドレス６０３ｂ−２との対応関係が記憶されている。
【００３５】
トーン生成部６０２は、呼制御部６０１よりの指示に従って各種トーン信号を生成し、通話部６０４を介してハンドセット６０９に、生成したトーン信号を送出する。
【００３６】
また、操作部６０７は、所定のダイヤルボタンや機能ボタンの操作手順により保守設定情報を入力する入力手段としての機能を有し、また、設定部６０８は、記憶部６０３内のＣＡ記憶部６０３ａおよび対応記憶部６０３ｂに情報を設定するものである。そして、設定部６０８の制御に従い、操作部６０７から、記憶部６０３内のＣＡ記憶部６０３ａに対して、ＶｏＩＰ通信装置４やＩＰ電話機６を管理するサーバ装置７のＩＰアドレスを設定登録し、さらに、対応記憶部６０３ｂに対して、電話番号６０３ｂ−１と、この電話番号を持つ音声端末５を収容するＶｏＩＰ通信装置４およびＩＰ電話機６のＩＰアドレス６０３ｂ−２との対応関係を設定登録することができるように構成している。
【００３７】
そして、呼制御部６０１は、図１３に示すフローに従って処理を行うことにより、呼を接続して、自身のＩＰ電話機６および通信相手のＶｏＩＰ通信装置４またはＩＰ電話機６間の音声通話路を確立する。
【００３８】
次に、サーバ装置７について、さらに詳細に説明する。
【００３９】
図８は、サーバ装置７の概略構成図である。
【００４０】
図において、ＬＡＮＩＦ部７０５は、ＬＡＮ２を接続するためのものであり、ＬＡＮ２が採用するインターフェースに従って処理を行う。これにより、ＬＡＮ２およびＩＰパケット処理部７０６間のＩＰパケットの中継を行う。
【００４１】
ＩＰパケット処理部７０６は、呼制御部７０１より受け取った音声通信を行う通信接続メッセージを、呼制御部７０１より通知されたＩＰアドレスを宛先とするＩＰパケットに格納して、ＬＡＮＩＦ部７０５へ送る。また、ＩＰパケット処理部７０６は、ＬＡＮＩＦ部７０５より送られてきたサーバ装置７宛のＩＰパケットからデータを抽出して、呼制御部７０１へ通知する。
【００４２】
対応記憶部７０３には、図９に示すように、電話番号７０３−１と、この電話番号を持つ音声端末５を収容するＶｏＩＰ通信装置４およびＩＰ電話機６のＩＰアドレス７０３−２との対応関係が記憶されている。ここで、ＩＰアドレス７０３−２は、一つの電話番号に対して複数のＩＰアドレスを対応付けることができ、図１に示すＬＡＮ２４の接続形態で電話番号がＰＢＸ５３の代表番号であるように設定することができる。
【００４３】
また、この対応記憶部７０３への設定登録は、図示しない保守端末を操作して保守者が設定する方法（スタティック設定方法）の他に、ＶｏＩＰ通信装置４およびＩＰ電話機６がオンラインになったとき、並びに、ＶｏＩＰ通信装置４およびＩＰ電話機６がオンライン中の際に定期的に、サーバ装置７に対して位置情報として登録を要求し、サーバ装置７がこれを受けて設定する方法（ダイナミック設定方法）によって行われる。ダイナミック設定方法については、例えば、ＲＦＣのＳＩＰで規定されたレジスター（Register）手順を用いることで容易に行うことができるので、その詳細な動作手順は省略する。
【００４４】
サーバ装置７は、ＬＡＮＩＦ部７０５より送られてきたサーバ装置７宛のＩＰパケットからデータを抽出して呼制御部７０１へ通知し、呼制御部７０１でその通知されらデータ内容が位置情報の登録要求であることを認識すると、この位置情報内容から、送信したＶｏＩＰ通信装置４またはＩＰ電話機６のＩＰアドレスと電話番号との対応情報を抽出し、図９に示す対応記憶部７０３にその対応情報を格納して、対応記憶部７０３の設定情報を更新する。
【００４５】
なお、図１に示すＶｏＩＰ通信システムのその他の構成要素は、既存技術により実現可能であるので、説明を省略する。
【００４６】
次に、ＶｏＩＰ通信の動作について説明する。
【００４７】
まず、図１において、ＶｏＩＰ通信装置４１に接続された電話機５１が、ＶｏＩＰ通信装置４２に接続された電話機５２に発信する場合の正常動作について図１０を用いて説明する。
【００４８】
ＶｏＩＰ通信装置４１の呼制御部４０１は、音声端末ＩＦ部４０４を介して電話機５１のオフフック並びにダイヤル（電話機５２の電話番号）を受け（Ｓ１００１）、発呼要求を認識すると（Ｓ１００２）、ＩＰパケット処理部４０６およびＬＡＮＩＦ部４０５を介して、サーバ装置７１に対し受信した電話番号情報（ＴｅｌＮｏ５２）を含むセッション確立要求メッセージ、即ち、呼接続要求を示すメッセージを送信する（Ｓ１００３）。即ち、呼制御部４０１は、図３に示すＣＡ記憶部４０３ａを参照して、サーバ装置７１のＩＰアドレス（ＩＰＡｄｄ７１）を抽出し、ＩＰパケット処理部４０６にこのＩＰアドレスのあて先に、受信した電話番号情報を含むセッション確立要求メッセージを送出するように要求する。
【００４９】
サーバ装置７１は、ＬＡＮＩＦ部７０５を介してＩＰパケット処理部７０６でセッション確立要求メッセージを受け、その通知情報を呼制御部７０１に送信する。呼制御部７０１では、受信した通知情報がセッション確立要求メッセージであることを認識すると、試行中メッセージ、即ち、このセッション確立要求メッセージを受け付けて、通話相手となるＶｏＩＰ通信装置４２（電話機５２）のＩＰアドレスを抽出中であることを示すメッセージを返信するようにＩＰパケット処理部７０６に通知し、ＶｏＩＰ通信装置４１に対して試行中メッセージを送信する（Ｓ１００４）。
【００５０】
また、サーバ装置７１の呼制御部７０１は、セッション確立要求メッセージの通知情報に含まれる電話番号情報から、この電話番号に対応するＩＰアドレスを抽出するために、対応記憶部７０３をアクセスして、この電話番号に対応するＩＰアドレスをサーチする。そして、電話機５２の電話番号に対応するＩＰアドレス（ＩＰＡｄｄ４２）を抽出すると、ＩＰパケット処理部７０６でこのＩＰアドレスを付与したＩＰパケットを作成し、ＬＡＮＩＦ部７０５を介して、これを送出することで、ＶｏＩＰ通信装置４２に対してセッション確立要求メッセージを送出する（Ｓ１００５）。
【００５１】
このセッション確立要求メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション確立要求メッセージであること、即ち、呼接続要求が行なわれたことを認識し、ＩＰパケット処理部４０６に対してサーバ装置７１に対して試行中メッセージ、即ち、このセッション確立要求メッセージを受け付けたことを通知するメッセージを送出する指示を行い、ＬＡＮＩＦ部４０５を介してサーバ装置７１に対して試行中メッセージを送出する（Ｓ１００６）。
【００５２】
また、呼制御部４０１は、この処理と平行して、電話機５２を呼び出すように音声端末ＩＦ部４０４に指示を行い、音声端末ＩＦ部４０４は、電話機５２に呼出信号を送出する（Ｓ１００７）。さらに、この後、呼制御部４０１では、電話機５２を呼出中であることを示す呼出中メッセージをサーバ装置７１に送出するようにＩＰパケット処理部４０６に対し指示を行い、ＬＡＮＩＦ部４０５を介してサーバ装置７１に対して呼出中メッセージを送出する（Ｓ１００８）。
【００５３】
サーバ装置７１は、ＬＡＮＩＦ部７０６を介してＩＰパケット処理部７０６で呼出中メッセージを受け、その通知情報を呼制御部７０１に送信する。呼制御部７０１では、受信した通知情報が呼出中メッセージであることを認識すると、これを中継する形で、ＶｏＩＰ通信装置４１（電話機５１）に呼出中メッセージを返信するようにＩＰパケット処理部７０６に通知し、ＶｏＩＰ通信装置４１に対して呼出中メッセージを送信する（Ｓ１００９）。
【００５４】
この呼出中メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により呼出中メッセージであることを認識し、トーン生成部４０２に呼出中音（リング・バック・トーン：ＲＢＴ）を出力するように指示し、音声端末ＩＦ部４０４は、トーン生成部４０２が出力する呼出中音を音声端末５（電話機５１）へ送出する（Ｓ１０１０）。
【００５５】
なお、この呼出中音の送出方式として、ＶｏＩＰ通信装置４１のトーン生成部４０２で出力する方式以外に、ＶｏＩＰ通信装置４２側のトーン生成部４０２で出力し、ＩＰ網１を介して、これをＶｏＩＰ通信装置４１に伝える方式を用いても良い。
【００５６】
この状態において、操作者が電話機５２をオフフックし呼出に応答すると（Ｓ１０１１）、電話機５２からＶｏＩＰ通信装置４２に対して応答信号が送出される（Ｓ１０１２）。ＶｏＩＰ通信装置４２は、音声端末ＩＦ部４０４によってこの応答信号を受信すると、呼制御部４０１にこれを伝える。呼制御部４０１では、この応答を認識して、ＩＰパケット処理部４０６に対してサーバ装置７１に応答メッセージを送出する指示を行い、ＬＡＮＩＦ部４０５を介してサーバ装置７１に対して応答メッセージを送出する（Ｓ１０１３）。
【００５７】
サーバ装置７１は、ＬＡＮＩＦ部７０５を介してＩＰパケット処理部７０６で応答メッセージを受け、その通知情報を呼制御部７０１に送信する。呼制御部７０１では、受信した通知情報が応答メッセージであることを認識すると、これを中継する形で、ＶｏＩＰ通信装置４１に応答メッセージを返信するようにＩＰパケット処理部７０６に通知し、ＬＡＮＩＦ部７０５を介してＶｏＩＰ通信装置４１に対して応答メッセージを送信する（Ｓ１０１４）。
【００５８】
この応答メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により応答メッセージであることを認識し、ＩＰパケット処理部４０６に対してサーバ装置７１に対して受信確認メッセージ、即ち、この応答メッセージを受け付けたことを通知するメッセージを送出する指示を行い、ＬＡＮＩＦ部４０５を介してサーバ装置７１に対して受信確認メッセージを送出する（Ｓ１０１５）。
【００５９】
サーバ装置７１は、ＬＡＮＩＦ部７０５を介してＩＰパケット処理部７０６で受信確認メッセージを受け、その通知情報を呼制御部７０１に送信する。呼制御部７０１では、受信した通知情報が受信確認メッセージであることを認識すると、これを中継する形で、ＶｏＩＰ通信装置４２に受信確認メッセージを返信するようにＩＰパケット処理部７０６に通知し、ＬＡＮＩＦ部７０５を介してＶｏＩＰ通信装置４２に対して受信確認メッセージを送信する（Ｓ１０１６）。
【００６０】
以上の動作によって通話路が確立され、ＶｏＩＰ通信装置４１とＶｏＩＰ通信装置４２との間で、例えば、ＲＴＰ（Real Time Protocol）によってＩＰパケットによる音声通話（ＶｏＩＰ）での通話が行われる。また、ＶｏＩＰ通信装置４１およびＶｏＩＰ通信装置４２は、それぞれ電話機５１および電話機５２を音声端末ＩＦ部４０４、ＩＰパケット処理部４０６およびＬＡＮＩＦ部４０５を介してＩＰ網１に接続して、電話機５１と電話機５２間の通話状態となる（Ｓ１０１７）。
【００６１】
通話終了のため、電話機５１の操作者がオンフックすると（Ｓ１０１８）、電話機５１からＶｏＩＰ通信装置４１に対して切断信号が送出される（Ｓ１０１９）。ＶｏＩＰ通信装置４１は、音声端末ＩＦ部４０４によってこの切断信号を受信すると、呼制御部４０１にこれを伝える。呼制御部４０１では、この切断を認識して、ＩＰパケット処理部４０６に対してサーバ装置７１にセッション終了メッセージ、即ち、通話切断要求を示すメッセージを送出する指示を行い、ＬＡＮＩＦ部４０５を介してサーバ装置７１に対してセッション終了メッセージを送出する（Ｓ１０２０）。
【００６２】
サーバ装置７１は、ＬＡＮＩＦ部７０５を介してＩＰパケット処理部７０６でセッション終了メッセージを受け、その通知情報を呼制御部７０１に送信する。呼制御部７０１では、受信した通知情報がセッション終了メッセージであることを認識すると、これを中継する形で、ＶｏＩＰ通信装置４２にセッション終了メッセージを返信するようにＩＰパケット処理部７０６に通知し、ＬＡＮＩＦ部７０５を介してＶｏＩＰ通信装置４２に対してセッション終了メッセージを送信する（Ｓ１０２１）。
【００６３】
このセッション終了メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション終了メッセージであることを認識し、電話機５２に終話音（ビジー・トーン：ＢＴ）を送出するようにトーン生成部４０２に指示を行い、音声端末ＩＦ部４０４を介して電話機５２に終話音を送出する（Ｓ１０２２）。
【００６４】
また、呼制御部４０１は、この処理と平行して、ＩＰパケット処理部４０６に対してサーバ装置７１に対して受信確認メッセージ、即ち、このセッション終了メッセージを受け付けたことを通知するメッセージを送出する指示を行い、ＬＡＮＩＦ部４０５を介してサーバ装置７１に対して受信確認メッセージを送出する（Ｓ１０２３）。
【００６５】
サーバ装置７１は、ＬＡＮＩＦ部７０５を介してＩＰパケット処理部７０６で受信確認メッセージを受け、その通知情報を呼制御部７０１に送信する。呼制御部７０１では、受信した通知情報が受信確認メッセージであることを認識すると、通話の解放処理を行うと共に、これを中継する形で、ＶｏＩＰ通信装置４１に受信確認メッセージを返信するようにＩＰパケット処理部７０６に通知し、ＬＡＮＩＦ部７０５を介してＶｏＩＰ通信装置４１に対して受信確認了メッセージを送信する（Ｓ１０２４）。
【００６６】
そして、この受信確認メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により受信確認メッセージであることを認識し、通話の解放処理を行う。
【００６７】
以上のとおり、ＶｏＩＰ通信装置４１に接続された電話機５１が、ＶｏＩＰ通信装置４２に接続された電話機５２と接続され、ＩＰパケットによる音声通話（ＶｏＩＰ）を行う。
【００６８】
次に、図１において、サーバ装置７１の障害や回線障害でサーバ装置７１が応答しない場合に、ＶｏＩＰ通信装置４１に接続された電話機５１が、ＶｏＩＰ通信装置４２に接続された電話機５２に発信する場合の動作について図１１を用いて説明する。
【００６９】
ＶｏＩＰ通信装置４１の呼制御部４０１は、音声端末ＩＦ部４０４を介して電話機５１のオフフック並びにダイヤル（電話機５２の電話番号）を受け（Ｓ１１０１）、発呼要求を認識すると（Ｓ１１０２）、ＩＰパケット処理部４０６およびＬＡＮＩＦ部４０５を介して、サーバ装置７１に対し受信した電話番号情報（ＴｅｌＮｏ５２）を含むセッション確立要求メッセージ、即ち、呼接続要求を示すメッセージを送信する（Ｓ１１０３）。即ち、呼制御部４０１は、図３に示すＣＡ記憶部４０３ａを参照して、サーバ装置７１のＩＰアドレス（ＩＰＡｄｄ７１）を抽出し、ＩＰパケット処理部４０６にこのＩＰアドレスのあて先に、受信した電話番号情報を含むセッション確立要求メッセージを送出するように要求する。
【００７０】
この後、所定時間内、例えば０．５秒の間にサーバ装置７１から何らかの応答メッセージ、例えば、試行中メッセージを受信しない場合、呼制御部４０１は、再度、サーバ装置７１に対し受信した電話番号情報（ＴｅｌＮｏ５２）を含むセッション確立要求メッセージを送出する（Ｓ１１０４）。また、この後、所定時間内、例えば１．０秒の間にサーバ装置７１から試行中メッセージを受信しない場合、呼制御部４０１は、サーバ装置７１に対し受信した電話番号情報（ＴｅｌＮｏ５２）を含むセッション確立要求メッセージを送出する（Ｓ１１０５）。そして、更に、所定時間内、例えば２．０秒の間にサーバ装置７１から試行中メッセージを受信しない場合、呼制御部４０１は、再度、サーバ装置７１に対し受信した電話番号情報（ＴｅｌＮｏ５２）を含むセッション確立要求メッセージを送出する（Ｓ１１０６）。
【００７１】
このように、セッション確立要求メッセージの送出を数回リトライ（本実施形態では３回のリトライ）しても、サーバ装置７１からの応答が得られない場合、呼制御部４０１は、記憶部４０３内の対応記憶部４０３ｂにアクセスして、電話機５１から得たダイヤル（電話機５２の電話番号）と同一の電話番号が登録されていないかサーチし、対応するＩＰアドレスの抽出を試みる（Ｓ１１０７）。
【００７２】
この結果、呼制御部４０１は、電話機５１から得たダイヤル（電話機５２の電話番号）と一致する電話番号を見つけることができなかった場合、接続不可と判断して、電話機５１に接続不可音（ビジー・トーン：ＢＴ）を送出するようにトーン生成部４０２に指示を行い、音声端末ＩＦ部４０４を介して電話機５１に接続不可音を送出する（Ｓ１１０８）。
【００７３】
一方、サーチの結果、呼制御部４０１が、電話機５１から得たダイヤル（電話機５２の電話番号）と一致する電話番号を見つけた場合、この電話番号に対応するＩＰアドレス（ＩＰＡｄｄ４２）を抽出して、ＩＰパケット処理部４０６でこのＩＰアドレスを付与したＩＰパケットを作成し、ＬＡＮＩＦ部４０５を介して、これを送出することで、直接、ＶｏＩＰ通信装置４２に対してセッション確立要求メッセージを送出する（Ｓ１１０９）。なお、このセッション確立要求メッセージの送出タイミングは、最初にセッション確立要求メッセージを送出した時から、例えば４．０秒後に行うようにして、サーバ装置７１からの応答が継続してないこと補償した時点で行うようにする。
【００７４】
このセッション確立要求メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション確立要求メッセージであること、即ち、呼接続要求が行なわれたことを認識し、電話機５２を呼び出すように音声端末ＩＦ部４０４に指示を行い、音声端末ＩＦ部４０４は、電話機５２に呼出信号を送出する（Ｓ１１１０）。
【００７５】
また、呼制御部４０１は、この処理と平行して、ＩＰパケット処理部４０６に対してＶｏＩＰ通信装置４１に呼出中メッセージ、即ち、このセッション確立要求メッセージを受け付けて、電話機５２を呼出中にあることを通知するメッセージを送出する指示を行い、ＬＡＮＩＦ部４０５を介してＶｏＩＰ通信装置４１に対して呼出中メッセージを送出する（Ｓ１１１１）。
【００７６】
この呼出中メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により呼出中メッセージであることを認識し、トーン生成部４０２に呼出中音（リング・バック・トーン：ＲＢＴ）を出力するように指示し、音声端末ＩＦ部４０４は、トーン生成部４０２が出力する呼出中音を音声端末５（電話機５１）へ送出する（Ｓ１１１２）。
【００７７】
この状態において、操作者が電話機５２をオフフックし呼出に応答すると（Ｓ１１１３）、電話機５２からＶｏＩＰ通信装置４２に対して応答信号が送出される（Ｓ１１１４）。ＶｏＩＰ通信装置４２は、音声端末ＩＦ部４０４によってこの応答信号を受信すると、呼制御部４０１にこれを伝える。呼制御部４０１では、この応答を認識して、ＩＰパケット処理部４０６に対してＶｏＩＰ通信装置４１に応答メッセージを送出する指示を行い、ＬＡＮＩＦ部４０５を介してＶｏＩＰ通信装置４１に対して応答メッセージを送出する（Ｓ１１１５）。
【００７８】
この応答メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により応答メッセージであることを認識し、ＩＰパケット処理部４０６に対してＶｏＩＰ通信装置４２に対して受信確認メッセージ、即ち、この応答メッセージを受け付けたことを通知するメッセージを送出する指示を行い、ＬＡＮＩＦ部４０５を介してＶｏＩＰ通信装置４２に対して受信確認メッセージを送出する（Ｓ１１１６）。
【００７９】
以上の動作によって通話路が確立され、ＶｏＩＰ通信装置４１とＶｏＩＰ通信装置４２との間で、例えば、ＲＴＰ（Real Time Protocol）によってＩＰパケットによる音声通話（ＶｏＩＰ）での通話が行われる。また、ＶｏＩＰ通信装置４１およびＶｏＩＰ通信装置４２は、それぞれ電話機５１および電話機５２を音声端末ＩＦ部４０４、ＩＰパケット処理部４０６およびＬＡＮＩＦ部４０５を介してＩＰ網１に接続して、電話機５１と電話機５２間の通話状態となる（Ｓ１１１７）。
【００８０】
通話終了のため、電話機５１の操作者がオンフックすると（Ｓ１１１８）、電話機５１からＶｏＩＰ通信装置４１に対して切断信号が送出される（Ｓ１１１９）。ＶｏＩＰ通信装置４１は、音声端末ＩＦ部４０４によってこの切断信号を受信すると、呼制御部４０１にこれを伝える。呼制御部４０１では、この切断を認識して、ＩＰパケット処理部４０６に対してＶｏＩＰ通信装置４２にセッション終了メッセージ、即ち、通話切断要求を示すメッセージを送出する指示を行い、ＬＡＮＩＦ部４０５を介してＶｏＩＰ通信装置４２に対してセッション終了メッセージを送出する（Ｓ１１２０）。
【００８１】
このセッション終了メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション終了メッセージであることを認識し、電話機５２に終話音（ビジー・トーン：ＢＴ）を送出するようにトーン生成部４０２に指示を行い、音声端末ＩＦ部４０４を介して電話機５２に終話音を送出する（Ｓ１１２１）。
【００８２】
また、呼制御部４０１は、この処理と平行して、ＩＰパケット処理部４０６に対してＶｏＩＰ通信装置４１に受信確認メッセージ、即ち、このセッション終了メッセージを受け付けたことを通知するメッセージを送出する指示を行い、ＬＡＮＩＦ部４０５を介してＶｏＩＰ通信装置４２に対して受信確認メッセージを送出する（Ｓ１１２２）。
【００８３】
そして、この受信確認メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により受信確認メッセージであることを認識し、通話の解放処理を行う。
【００８４】
以上のとおり、サーバ装置７１の障害や回線障害でサーバ装置７１が応答しない場合に、ＶｏＩＰ通信装置４１が自らＩＰアドレスを登録している相手先であれば、直接ＶｏＩＰ通信装置４２と通信接続処理を行い、ＶｏＩＰ通信装置４１に接続された電話機５１が、ＶｏＩＰ通信装置４２に接続された電話機５２と接続され、ＩＰパケットによる音声通話（ＶｏＩＰ）を行う。
【００８５】
次に、図１において、サーバ装置７１の障害や回線障害でサーバ装置７１が応答しない場合に、ＶｏＩＰ通信装置４１に接続された電話機５１が、ＶｏＩＰ通信装置４３〜４６に接続されたＰＢＸ５３に発信する場合の動作について図１２を用いて説明する。
【００８６】
ＶｏＩＰ通信装置４１の呼制御部４０１は、音声端末ＩＦ部４０４を介して電話機５１のオフフック並びにダイヤル（ＰＢＸ５３の電話番号）を受け（Ｓ１２０１）、ＰＢＸ５３に対しての発呼要求を認識すると（Ｓ１２０２）、ＩＰパケット処理部４０６およびＬＡＮＩＦ部４０５を介して、サーバ装置７１に対し受信した電話番号情報（ＴｅｌＮｏ５３）を含むセッション確立要求メッセージ、即ち、呼接続要求を示すメッセージを送信する（Ｓ１２０３）。即ち、呼制御部４０１は、図３に示すＣＡ記憶部４０３ａを参照して、サーバ装置７１のＩＰアドレス（ＩＰＡｄｄ７１）を抽出し、ＩＰパケット処理部４０６にこのＩＰアドレスのあて先に、受信した電話番号情報を含むセッション確立要求メッセージを送出するように要求する。
【００８７】
この後、所定時間内、例えば０．５秒の間にサーバ装置７１から何らかの応答メッセージ、例えば、試行中メッセージを受信しない場合、呼制御部４０１は、再度、サーバ装置７１に対し受信した電話番号情報（ＴｅｌＮｏ５３）を含むセッション確立要求メッセージを送出する（Ｓ１２０４）。また、この後、所定時間内、例えば１．０秒の間にサーバ装置７１から試行中メッセージを受信しない場合、呼制御部４０１は、サーバ装置７１に対し受信した電話番号情報（ＴｅｌＮｏ５３）を含むセッション確立要求メッセージを送出する（Ｓ１２０５）。そして、更に、所定時間内、例えば２．０秒の間にサーバ装置７１から試行中メッセージを受信しない場合、呼制御部４０１は、再度、サーバ装置７１に対し受信した電話番号情報（ＴｅｌＮｏ５３）を含むセッション確立要求メッセージを送出する（Ｓ１２０６）。
【００８８】
このように、セッション確立要求メッセージの送出を数回リトライしても、サーバ装置７１からの応答が得られない場合、呼制御部４０１は、記憶部４０３内の対応記憶部４０３ｂにアクセスして、電話機５１から得たダイヤル（ＰＢＸ５３の電話番号）と同一の電話番号が登録されていないかサーチし、対応するＩＰアドレスの抽出を試みる（Ｓ１２０７）。
【００８９】
この結果、呼制御部４０１は、電話機５１から得たダイヤル（ＰＢＸ５３の電話番号）と一致する電話番号を見つけることができなかった場合、接続不可と判断して、電話機５１に接続不可音（ビジー・トーン：ＢＴ）を送出するようにトーン生成部４０２に指示を行い、音声端末ＩＦ部４０４を介して電話機５１に接続不可音を送出する（Ｓ１２０８）。
【００９０】
一方、サーチの結果、呼制御部４０１が、電話機５１から得たダイヤル（ＰＢＸ５３の電話番号）と一致する電話番号を見つけた場合、この電話番号に対応するＩＰアドレス（ＩＰＡｄｄ４３）を抽出して、ＩＰパケット処理部４０６でこのＩＰアドレスを付与したＩＰパケットを作成し、ＬＡＮＩＦ部４０５を介して、これを送出することで、ＶｏＩＰ通信装置４３に対してセッション確立要求メッセージを送出する（Ｓ１２０９）。なお、ステップＳ１２０７において、電話番号に対して複数のＩＰアドレスが登録されていると認識した場合は、任意の一つのＩＰアドレス（この場合、ＩＰＡｄｄ４３）を抽出する。
【００９１】
このセッション確立要求メッセージを受信したＶｏＩＰ通信装置４３は、ＬＡＮＩＦ部４０５を介してＩＰパケット処理部４０６で通知情報を抽出し、これを呼制御部４０１に伝える。呼制御部４０１では、通知情報によりセッション確立要求メッセージであること、即ち、呼接続要求が行なわれたことを認識する。ここで、ＶｏＩＰ通信装置４３は他の電話機と接続中でビジー状態にある場合、ＩＰパケット処理部４０６に対してＶｏＩＰ通信装置４１にビジーメッセージ、即ち、このセッション確立要求メッセージを受け付けたが、他の電話機と通話中であることを通知するメッセージを送出する指示を行い、ＬＡＮＩＦ部４０５を介してＶｏＩＰ通信装置４１に対してビジーメッセージを送出する（Ｓ１２１０）。
【００９２】
このビジーメッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１は、通知情報によりビジーメッセージであることを認識すると、再度、記憶部４０３内の対応記憶部４０３ｂにアクセスして、電話機５１から得たダイヤル（ＰＢＸ５３の電話番号）と同一の電話番号に対応する他のＩＰアドレスの抽出（スライド）を試みる（Ｓ１２１１）。
【００９３】
この結果、呼制御部４０１は、電話機５１から得たダイヤル（ＰＢＸ５３の電話番号）と一致する電話番号に対応する他のＩＰアドレスを見つけることができなかった場合、接続不可と判断して、電話機５１に接続不可音（ビジー・トーン：ＢＴ）を送出するようにトーン生成部４０２に指示を行い、音声端末ＩＦ部４０４を介して電話機５１に接続不可音を送出する（Ｓ１２１２）。
【００９４】
一方、サーチの結果、呼制御部４０１が、電話機５１から得たダイヤル（ＰＢＸ５３の電話番号）と一致する電話番号に対応する他のＩＰアドレスを見つけた場合、この電話番号に対応する他のＩＰアドレス（ＩＰＡｄｄ４４）を抽出して、ＩＰパケット処理部４０６でこのＩＰアドレスを付与したＩＰパケットを作成し、ＬＡＮＩＦ部４０５を介して、これを送出することで、ＶｏＩＰ通信装置４４に対してセッション確立要求メッセージを送出する（Ｓ１２１３）。なお、ステップＳ１２１２において、電話番号に対して他のＩＰアドレスが複数登録されていると認識した場合は、任意の一つのＩＰアドレス（この場合、ＩＰＡｄｄ４４）を抽出する。
【００９５】
このセッション確立要求メッセージを受信したＶｏＩＰ通信装置４４は、ＬＡＮＩＦ部４０５を介してＩＰパケット処理部４０６で通知情報を抽出し、これを呼制御部４０１に伝える。呼制御部４０１では、通知情報によりセッション確立要求メッセージであること、即ち、呼接続要求が行なわれたことを認識する。ここで、ＶｏＩＰ通信装置４４は他の電話機と接続中でビジー状態にある場合、ＩＰパケット処理部４０６に対してＶｏＩＰ通信装置４１にビジーメッセージを送出する指示を行い、ＬＡＮＩＦ部４０５を介してＶｏＩＰ通信装置４１に対してビジーメッセージを送出する（Ｓ１２１４）。
【００９６】
同様に、ビジーメッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１は、通知情報によりビジーメッセージであることを認識すると、再度、記憶部４０３内の対応記憶部４０３ｂにアクセスして、電話機５１から得たダイヤル（ＰＢＸ５３の電話番号）と同一の電話番号に対応する他のＩＰアドレスの抽出（スライド）を試みる（Ｓ１２１５）。
【００９７】
この結果、呼制御部４０１は、電話機５１から得たダイヤル（ＰＢＸ５３の電話番号）と一致する電話番号に対応する他のＩＰアドレスを見つけることができなかった場合、接続不可と判断して、電話機５１に接続不可音（ビジー・トーン：ＢＴ）を送出するようにトーン生成部４０２に指示を行い、音声端末ＩＦ部４０４を介して電話機５１に接続不可音を送出する（Ｓ１２１６）。
【００９８】
一方、サーチの結果、呼制御部４０１が、電話機５１から得たダイヤル（ＰＢＸ５３の電話番号）と一致する電話番号に対応する他のＩＰアドレスを見つけた場合、この電話番号に対応する他のＩＰアドレス（ＩＰＡｄｄ４５）を抽出して、ＩＰパケット処理部４０６でこのＩＰアドレスを付与したＩＰパケットを作成し、ＬＡＮＩＦ部４０５を介して、これを送出することで、ＶｏＩＰ通信装置４５に対してセッション確立要求メッセージを送出する（Ｓ１２１７）。なお、ステップＳ１２１５において、電話番号に対して他のＩＰアドレスが複数登録されていると認識した場合は、任意の一つのＩＰアドレス（この場合、ＩＰＡｄｄ４５）を抽出する。
【００９９】
このセッション確立要求メッセージを受信したＶｏＩＰ通信装置４５は、ＬＡＮＩＦ部４０５を介してＩＰパケット処理部４０６で通知情報を抽出し、これを呼制御部４０１に伝える。呼制御部４０１では、通知情報によりセッション確立要求メッセージであることを認識し、通話接続が可能である場合は、ＰＢＸ５３と接続するように音声端末ＩＦ部４０４に指示を行い、音声端末ＩＦ部４０４は、ＰＢＸ５３に呼設定メッセージを送出する（Ｓ１２１８）。
【０１００】
なお、ここで、ＶｏＩＰ通信装置４３〜４６とＰＢＸ５３間の接続はＩＴＵ−ＴのＱ．９３１に規定されているＩインターフェースで接続されているものとする。したがって、ＰＢＸ５３は呼設定メッセージを受け付けて、ＶｏＩＰ通信装置４５に呼設定受付メッセージを返送し（Ｓ１２１９）、内線端末を呼出状態にした後、ＶｏＩＰ通信装置４５に呼出メッセージを送出する（Ｓ１２２０）。
【０１０１】
ＶｏＩＰ通信装置４５の音声端末ＩＦ部４０４は、この呼設定受付メッセージおよび呼出メッセージを受信すると、呼制御部４０１に伝える。すると、呼制御部４０１は、ＩＰパケット処理部４０６に対してＶｏＩＰ通信装置４１に呼出中メッセージを送出する指示を行い、ＬＡＮＩＦ部４０５を介してＶｏＩＰ通信装置４１に対して呼出中メッセージを送出する（Ｓ１２２１）。
【０１０２】
この呼出中メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により呼出中メッセージであることを認識し、トーン生成部４０２に呼出中音（リング・バック・トーン：ＲＢＴ）を出力するように指示し、音声端末ＩＦ部４０４は、トーン生成部４０２が出力する呼出中音を音声端末５（電話機５１）へ送出する（Ｓ１２２２）。
【０１０３】
なお、この呼出中音の送出方式として、ＶｏＩＰ通信装置４１のトーン生成部４０２で出力する方式以外に、ＰＢＸ５３で出力し、これをＩＰ網１を介して、このＶｏＩＰ通信装置４１に伝える方式を用いても良い。
【０１０４】
この状態において、ＰＢＸ５３の操作者が内線電話機で応答すると（Ｓ１２２３）、ＰＢＸ５３からＶｏＩＰ通信装置４５に対して接続メッセージを送出する（Ｓ１２２４）。ＶｏＩＰ通信装置４５は、音声端末ＩＦ部４０４によってこの接続メッセージを受信すると、呼制御部４０１にこれを伝える。呼制御部４０１では、この接続メッセージにより応答を認識して、ＩＰパケット処理部４０６に対してＶｏＩＰ通信装置４１に応答メッセージを送出する指示を行い、ＬＡＮＩＦ部４０５を介してＶｏＩＰ通信装置４１に対して応答メッセージを送出する（Ｓ１２２５）。
【０１０５】
この応答メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により応答メッセージであることを認識し、ＩＰパケット処理部４０６に対してＶｏＩＰ通信装置４５に対して受信確認メッセージを送出する指示を行い、ＬＡＮＩＦ部４０５を介してＶｏＩＰ通信装置４５に対して受信確認メッセージを送出する（Ｓ１２２６）。
【０１０６】
以上の動作によって通話路が確立され、ＶｏＩＰ通信装置４１とＶｏＩＰ通信装置４５との間で、例えば、ＲＴＰ（Real Time Protocol）によってＩＰパケットによる音声通話（ＶｏＩＰ）での通話が行われる。また、ＶｏＩＰ通信装置４１およびＶｏＩＰ通信装置４５は、それぞれ電話機５１およびＰＢＸ５３を音声端末ＩＦ部４０４、ＩＰパケット処理部４０６およびＬＡＮＩＦ部４０５を介してＩＰ網１に接続して、電話機５１とＰＢＸ５３（ＰＢＸ５３の内線電話機）間の通話状態となる（Ｓ１２２７）。
【０１０７】
通話終了のため、電話機５１の操作者がオンフックすると（Ｓ１２２８）、電話機５１からＶｏＩＰ通信装置４１に対して切断信号が送出される（Ｓ１２２９）。ＶｏＩＰ通信装置４１は、音声端末ＩＦ部４０４によってこの切断信号を受信すると、呼制御部４０１にこれを伝える。呼制御部４０１では、この切断を認識して、ＩＰパケット処理部４０６に対してＶｏＩＰ通信装置４５にセッション終了メッセージを送出する指示を行い、ＬＡＮＩＦ部４０５を介してＶｏＩＰ通信装置４５に対してセッション終了メッセージを送出する（Ｓ１２３０）。
【０１０８】
このセッション終了メッセージを受信したＶｏＩＰ通信装置４５は、ＬＡＮＩＦ部４０５を介してＩＰパケット処理部４０６で通知情報を抽出し、これを呼制御部４０１に伝える。呼制御部４０１では、通知情報によりセッション終了メッセージであることを認識し、音声端末ＩＦ部４０４に対して、ＰＢＸ５３に切断メッセージを送出するように指示する（Ｓ１２３１）。そして、ＶｏＩＰ通信装置４５の音声端末ＩＦ部４０４は呼制御部４０１の指示より、ＰＢＸ５３から解放メッセージを受けた後（Ｓ１２３２）、解放完了メッセージをＰＢＸ５３に送出する（Ｓ１２３３）。
【０１０９】
また、呼制御部４０１は、この処理と平行して、ＩＰパケット処理部４０６に対してＶｏＩＰ通信装置４１に受信確認メッセージを送出する指示を行い、ＬＡＮＩＦ部４０５を介してＶｏＩＰ通信装置４１に対して受信確認メッセージを送出する（Ｓ１２３４）。
【０１１０】
そして、この受信確認メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により受信確認メッセージであることを認識し、通話の解放処理を行う。
【０１１１】
以上のとおり、サーバ装置７１の障害や回線障害でサーバ装置７１が応答しない場合に、ＶｏＩＰ通信装置４１が自らＩＰアドレスを登録している相手先であれば、直接ＶｏＩＰ通信装置４３〜４６と通信接続処理を行い、ＶｏＩＰ通信装置４１に接続された電話機５１が、ＶｏＩＰ通信装置４３〜４６に接続されたＰＢＸ５３と接続され、ＩＰパケットによる音声通話（ＶｏＩＰ）を行う。しかも、ＰＢＸ５３に複数のＶｏＩＰ通信装置４３〜４６が接続されている場合は、ＶｏＩＰ通信装置４３〜４６の使用状態に応じて、ＶｏＩＰ通信装置４１が自ら接続先をスライドして探し求め、空き状態にあるＶｏＩＰ通信装置４３〜４６と接続して通話を行う。
【０１１２】
次に、図１において、サーバ装置７１の障害や回線障害でサーバ装置７１が応答しない場合に、ＩＰ電話機６１が、ＶｏＩＰ通信装置４２に接続された電話機５２に発信する場合の動作について図１３を用いて説明する。
【０１１３】
ＩＰ電話機６１の呼制御部６０１は、通話部６０４および操作部６０７を介してハンドセット６０９のオフフック並びにダイヤル（電話機５２の電話番号）を受け、発呼要求を認識すると（Ｓ１３０１）、ＩＰパケット処理部６０６およびＬＡＮＩＦ部６０５を介して、サーバ装置７１に対し受信した電話番号情報（ＴｅｌＮｏ５２）を含むセッション確立要求メッセージを送信する（Ｓ１３０２）。即ち、呼制御部６０１は、図６に示すＣＡ記憶部６０３ａを参照して、サーバ装置７１のＩＰアドレス（ＩＰＡｄｄ７１）を抽出し、ＩＰパケット処理部６０６にこのＩＰアドレスのあて先に、受信した電話番号情報を含むセッション確立要求メッセージを送出するように要求する。
【０１１４】
この後、所定時間内、例えば０．５秒の間にサーバ装置７１から応答メッセージ、例えば、試行中メッセージを受信しない場合、呼制御部６０１は、再度、サーバ装置７１に対し受信した電話番号情報（ＴｅｌＮｏ５２）を含むセッション確立要求メッセージを送出する（Ｓ１３０３）。また、この後、所定時間内、例えば１．０秒の間にサーバ装置７１から試行中メッセージを受信しない場合、呼制御部６０１は、サーバ装置７１に対し受信した電話番号情報（ＴｅｌＮｏ５２）を含むセッション確立要求メッセージを送出する（Ｓ１３０４）。そして、更に、所定時間内、例えば２．０秒の間にサーバ装置７１から試行中メッセージを受信しない場合、呼制御部６０１は、再度、サーバ装置７１に対し受信した電話番号情報（ＴｅｌＮｏ５２）を含むセッション確立要求メッセージを送出する（Ｓ１３０５）。
【０１１５】
このように、セッション確立要求メッセージの送出を数回リトライ（本実施形態では３回のリトライ）しても、サーバ装置７１からの応答が得られない場合、呼制御部６０１は、記憶部６０３内の対応記憶部６０３ｂにアクセスして、操作部６０７から得たダイヤル（電話機５２の電話番号）と同一の電話番号が登録されていないかサーチし、対応するＩＰアドレスの抽出を試みる（Ｓ１３０６）。
【０１１６】
この結果、呼制御部６０１は、操作部６０７から得たダイヤル（電話機５２の電話番号）と一致する電話番号を見つけることができなかった場合、接続不可と判断して、ハンドセット６０９に接続不可音（ビジー・トーン：ＢＴ）を送出するようにトーン生成部６０２に指示を行い、通話部６０４を介してハンドセット６０９に接続不可音を送出する（Ｓ１３０７）。
【０１１７】
一方、サーチの結果、呼制御部６０１が、操作部６０７から得たダイヤル（電話機５２の電話番号）と一致する電話番号を見つけた場合、この電話番号に対応するＩＰアドレス（ＩＰＡｄｄ４２）を抽出して、ＩＰパケット処理部６０６でこのＩＰアドレスを付与したＩＰパケットを作成し、ＬＡＮＩＦ部６０５を介して、これを送出することで、ＶｏＩＰ通信装置４２に対してセッション確立要求メッセージを送出する（Ｓ１３０８）。なお、このセッション確立要求メッセージの送出タイミングは、最初にセッション確立要求メッセージを送出した時から、例えば４．０秒後に行うようにして、サーバ装置７１からの応答が継続してないこと補償した時点で行うようにする。
【０１１８】
このセッション確立要求メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション確立要求メッセージであること、即ち、呼接続要求が行なわれたことを認識し、電話機５２を呼び出すように音声端末ＩＦ部４０４に指示を行い、音声端末ＩＦ部４０４は、電話機５２に呼出信号を送出する（Ｓ１３０９）。
【０１１９】
また、呼制御部４０１は、この処理と平行して、ＩＰパケット処理部４０６に対してＩＰ電話機６１に呼出中メッセージを送出する指示を行い、ＬＡＮＩＦ部４０５を介してＩＰ電話機６１に対して呼出中メッセージを送出する（Ｓ１３１０）。
【０１２０】
この呼出中メッセージを受信したＩＰ電話機６１は、ＬＡＮＩＦ部６０５を介してＩＰパケット処理部６０６で通知情報を抽出し、これを呼制御部６０１に伝える。呼制御部６０１では、通知情報により呼出中メッセージであることを認識し、トーン生成部６０２に呼出中音（リング・バック・トーン：ＲＢＴ）を出力するように指示し、通話部６０４は、トーン生成部６０２が出力する呼出中音をハンドセット６０９へ送出する（Ｓ１３１１）。
【０１２１】
この状態において、操作者が電話機５２をオフフックし呼出に応答すると（Ｓ１３１２）、電話機５２からＶｏＩＰ通信装置４２に対して応答信号が送出される（Ｓ１３１３）。ＶｏＩＰ通信装置４２は、音声端末ＩＦ部４０４によってこの応答信号を受信すると、呼制御部４０１にこれを伝える。呼制御部４０１では、この応答を認識して、ＩＰパケット処理部４０６に対してＩＰ電話機６１に応答メッセージを送出する指示を行い、ＬＡＮＩＦ部４０５を介してＩＰ電話機６１に対して応答メッセージを送出する（Ｓ１３１４）。
【０１２２】
この応答メッセージを受信したＩＰ電話機６１は、ＬＡＮＩＦ部６０５を介してＩＰパケット処理部６０６で通知情報を抽出し、これを呼制御部６０１に伝える。呼制御部６０１では、通知情報により応答メッセージであることを認識し、ＩＰパケット処理部６０６に対してＶｏＩＰ通信装置４２に対して受信確認メッセージを送出する指示を行い、ＬＡＮＩＦ部６０５を介してＶｏＩＰ通信装置４２に対して受信確認メッセージを送出する（Ｓ１３１５）。
【０１２３】
以上の動作によって通話路が確立され、ＩＰ電話機６１とＶｏＩＰ通信装置４２との間で、例えば、ＲＴＰ（Real Time Protocol）によってＩＰパケットによる音声通話（ＶｏＩＰ）での通話が行われる。また、ＶｏＩＰ通信装置４２は、電話機５２を音声端末ＩＦ部４０４、ＩＰパケット処理部４０６およびＬＡＮＩＦ部４０５を介してＩＰ網１に接続して、ＩＰ電話機６１と電話機５２間の通話状態となる（Ｓ１３１６）。
【０１２４】
通話終了のため、ＩＰ電話機６１の操作者がオンフックすると（Ｓ１３１７）、ＩＰ電話機６１は、通話部６０４によって認識して呼制御部６０１にこれを伝える。呼制御部６０１では、このオンフックを認識すると、ＩＰパケット処理部６０６に対してＶｏＩＰ通信装置４２にセッション終了メッセージを送出する指示を行い、ＬＡＮＩＦ部６０５を介してＶｏＩＰ通信装置４２に対してセッション終了メッセージを送出する（Ｓ１３１８）。
【０１２５】
このセッション終了メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション終了メッセージであることを認識し、電話機５２に終話音（ビジー・トーン：ＢＴ）を送出するようにトーン生成部４０２に指示を行い、音声端末ＩＦ部４０４を介して電話機５２に終話音を送出する（Ｓ１３１９）。
【０１２６】
また、呼制御部４０１は、この処理と平行して、ＩＰパケット処理部４０６に対してＩＰ電話機６１に受信確認メッセージを送出する指示を行い、ＬＡＮＩＦ部４０５を介してＩＰ電話機６１に対して受信確認メッセージを送出する（Ｓ１３２０）。
【０１２７】
そして、この受信確認メッセージを受信したＩＰ電話機６１は、ＬＡＮＩＦ部６０５を介してＩＰパケット処理部６０６で通知情報を抽出し、これを呼制御部６０１に伝える。呼制御部６０１では、通知情報により受信確認メッセージであることを認識し、通話の解放処理を行う。
【０１２８】
以上のとおり、サーバ装置７１の障害や回線障害でサーバ装置７１が応答しない場合に、ＩＰ電話機６１が自らＩＰアドレスを登録している相手先であれば、直接ＶｏＩＰ通信装置４２と通信接続処理を行い、ＩＰ電話機６１が、ＶｏＩＰ通信装置４２に接続された電話機５２と接続され、ＩＰパケットによる音声通話（ＶｏＩＰ）を行う。
【０１２９】
次に、本発明の第２実施形態について説明する。
【０１３０】
図１４は、本発明の第２実施形態が適用されたＶｏＩＰ通信システムの一部概略構成図であり、図１に示すＶｏＩＰ通信システムの内、ＬＡＮ２３の変更内容を示す図である。なお、ＬＡＮ２３に接続される構成の変更以外は、図１に示すＶｏＩＰ通信システムと同一のＶｏＩＰ通信システムであるので、その説明を省略する。
【０１３１】
図１４において、ＶｏＩＰ通信装置４１〜４６やＩＰ電話機６１、６２を管理するサーバ装置（コール・エージェント装置またはゲート・キーパ装置）７２および７３は、各々、ＬＡＮ２３およびルータ３３を介してＩＰ網１に接続されている。
【０１３２】
このような構成において、ＶｏＩＰ通信装置４よびＩＰ電話機６は、ルータ３、ＬＡＮ２およびサーバ装置７２または７３を介して、ＩＰ網１より音声通信を行う通信接続メッセージを格納した自装置宛のＩＰパケットを受け取ると、このＩＰパケットの送信元ＶｏＩＰ通信装置４またはＩＰ電話機６との間で、ＩＰパケットを用いて音声通信を行う通信接続メッセージを送受することにより呼制御手順を行う。これにより、呼を接続して、自身が収容する音声端末５またはＩＰ電話機６および前記送信元ＶｏＩＰ通信装置４が収容する音声端末５またはＩＰ電話機６との間の音声通話路を確立する。即ち、本構成においては、サーバ装置障害時のバックアップや、負荷分散のためにサーバ装置７が複数存在しているものである。
【０１３３】
なお、サーバ装置７２および７３の各々の構成は、図８および図９に示す構成と同一であるため、その説明を省略する。
【０１３４】
図１５は、ＶｏＩＰ通信装置４の記憶部４０３内に設けられるＣＡ記憶部４０３ａの構成を示すものであり、図１４に示すＶｏＩＰ通信システムに応じて、複数のサーバ装置７（サーバ装置７２および７３）のＩＰアドレス４０３ａ−２が登録されている。
【０１３５】
次に、図１および図１４において、サーバ装置７２および７３の障害や回線障害でサーバ装置７２および７３が応答しない場合に、ＶｏＩＰ通信装置４１に接続された電話機５１が、ＶｏＩＰ通信装置４２に接続された電話機５２に発信する場合の動作について図１６を用いて説明する。
【０１３６】
ＶｏＩＰ通信装置４１の呼制御部４０１は、音声端末ＩＦ部４０４を介して電話機５１のオフフック並びにダイヤル（電話機５２の電話番号）を受け（Ｓ１６０１）、発呼要求を認識すると（Ｓ１６０２）、ＩＰパケット処理部４０６およびＬＡＮＩＦ部４０５を介して、サーバ装置７２に対し受信した電話番号情報（ＴｅｌＮｏ５２）を含むセッション確立要求メッセージを送信する（Ｓ１６０３）。
【０１３７】
すなわち、呼制御部４０１は、図１５に示すＣＡ記憶部４０３ａを参照して、サーバ装置７２または７３のＩＰアドレス（ＩＰＡｄｄ７２またはＩＰＡｄｄ７３）を抽出し、ＩＰパケット処理部４０６にこのＩＰアドレスのあて先に、受信した電話番号情報を含むセッション確立要求メッセージを送出するように要求する。
【０１３８】
ここで、ＣＡ記憶部４０３ａに複数のサーバ装置７が登録されている場合、任意に一つのサーバ装置７を選択すれば良いものであるが、呼制御部４０１は、最初の抽出動作では優先度の高いサーバ装置７２のＩＰアドレス（ＩＰＡｄｄ７２）を抽出し、サーバ装置７２に対してセッション確立要求メッセージを送出する。
【０１３９】
この後、所定時間内、例えば０．５秒の間にサーバ装置７２から何らかの応答メッセージ、例えば、試行中メッセージを受信しない場合、呼制御部４０１は、再度、サーバ装置７２に対し受信した電話番号情報（ＴｅｌＮｏ５２）を含むセッション確立要求メッセージを送出する（Ｓ１６０４）。また、この後、所定時間内、例えば１．０秒の間にサーバ装置７２から試行中メッセージを受信しない場合、呼制御部４０１は、サーバ装置７２に対し受信した電話番号情報（ＴｅｌＮｏ５２）を含むセッション確立要求メッセージを送出する（Ｓ１６０５）。そして、更に、所定時間内、例えば２．０秒の間にサーバ装置７２から試行中メッセージを受信しない場合、呼制御部４０１は、再度、サーバ装置７２に対し受信した電話番号情報（ＴｅｌＮｏ５２）を含むセッション確立要求メッセージを送出する（Ｓ１６０６）。
【０１４０】
このように、セッション確立要求メッセージの送出を数回リトライ（本実施形態では３回のリトライ）しても、サーバ装置７２からの応答が得られない場合、呼制御部４０１は、記憶部４０３内のＣＡ記憶部４０３ａ（図１５）にアクセスして、他のサーバ装置７が登録されていないかサーチする（Ｓ１６０７）。
【０１４１】
本実施形態においては、サーバ装置７２の他にサーバ装置７３が登録されているため、呼制御部４０１は、図１５に示すＣＡ記憶部４０３ａを参照して、サーバ装置７３のＩＰアドレス（ＩＰＡｄｄ７３）を抽出し、ＩＰパケット処理部４０６にこのＩＰアドレスのあて先に、受信した電話番号情報を含むセッション確立要求メッセージを送出するように要求する。
【０１４２】
すると、ＩＰパケット処理部４０６およびＬＡＮＩＦ部４０５を介して、サーバ装置７３に対し受信した電話番号情報（ＴｅｌＮｏ５２）を含むセッション確立要求メッセージを送信する（Ｓ１６０８）。
【０１４３】
なお、このセッション確立要求メッセージの送出タイミングは、サーバ装置７２に対して最初にセッション確立要求メッセージを送出した時から、例えば４．０秒後に行うようにして、サーバ装置７２からの応答が継続してないこと補償した時点で行うようにする。
【０１４４】
この後、所定時間内、例えば０．５秒の間にサーバ装置７３から試行中メッセージを受信しない場合、呼制御部４０１は、再度、サーバ装置７３に対し受信した電話番号情報（ＴｅｌＮｏ５２）を含むセッション確立要求メッセージを送出する（Ｓ１６０９）。また、この後、所定時間内、例えば１．０秒の間にサーバ装置７３から試行中メッセージを受信しない場合、呼制御部４０１は、サーバ装置７３に対し受信した電話番号情報（ＴｅｌＮｏ５２）を含むセッション確立要求メッセージを送出する（Ｓ１６１０）。そして、更に、所定時間内、例えば２．０秒の間にサーバ装置７３から試行中メッセージを受信しない場合、呼制御部４０１は、再度、サーバ装置７３に対し受信した電話番号情報（ＴｅｌＮｏ５２）を含むセッション確立要求メッセージを送出する（Ｓ１６１１）。
【０１４５】
このように、セッション確立要求メッセージの送出を数回リトライしても、サーバ装置７３からの応答が得られない場合、呼制御部４０１は、記憶部４０３内のＣＡ記憶部４０３ａ（図１５）にアクセスして、他のサーバ装置７が登録されていないかサーチする（Ｓ１６１２）。
【０１４６】
本実施形態においては、サーバ装置７２、７３の他に登録されているサーバ装置７が存在しないため、呼制御部４０１は、他のサーバ装置７が存在しないと判断し、記憶部４０３内の対応記憶部４０３ｂにアクセスして、電話機５１から得たダイヤル（電話機５２の電話番号）と同一の電話番号が登録されていないかサーチし、対応するＩＰアドレスの抽出を試みる（Ｓ１６１３）。
【０１４７】
この結果、呼制御部４０１は、電話機５１から得たダイヤル（電話機５２の電話番号）と一致する電話番号を見つけることができなかった場合、接続不可と判断して、電話機５１に接続不可音（ビジー・トーン：ＢＴ）を送出するようにトーン生成部４０２に指示を行い、音声端末ＩＦ部４０４を介して電話機５１に接続不可音を送出する（Ｓ１６１４）。
【０１４８】
一方、サーチの結果、呼制御部４０１が、電話機５１から得たダイヤル（電話機５２の電話番号）と一致する電話番号を見つけた場合、この電話番号に対応するＩＰアドレス（ＩＰＡｄｄ４２）を抽出して、ＩＰパケット処理部４０６でこのＩＰアドレスを付与したＩＰパケットを作成し、ＬＡＮＩＦ部４０５を介して、これを送出することで、ＶｏＩＰ通信装置４２に対してセッション確立要求メッセージを送出する（Ｓ１６１５）。
【０１４９】
なお、このセッション確立要求メッセージの送出タイミングは、サーバ装置７３に対して最初にセッション確立要求メッセージを送出した時から、例えば４．０秒後に行うようにして、サーバ装置７３からの応答が継続してないこと補償した時点で行うようにする。
【０１５０】
このセッション確立要求メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション確立要求メッセージであることを認識し、電話機５２を呼び出すように音声端末ＩＦ部４０４に指示を行い、音声端末ＩＦ部４０４は、電話機５２に呼出信号を送出する（Ｓ１６１６）。
【０１５１】
また、呼制御部４０１は、この処理と平行して、ＩＰパケット処理部４０６に対してＶｏＩＰ通信装置４１に呼出中メッセージを送出する指示を行い、ＬＡＮＩＦ部４０５を介してＶｏＩＰ通信装置４１に対して呼出中メッセージを送出する（Ｓ１６１７）。
【０１５２】
この呼出中メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により呼出中メッセージであることを認識し、トーン生成部４０２に呼出中音（リング・バック・トーン：ＲＢＴ）を出力するように指示し、音声端末ＩＦ部４０４は、トーン生成部４０２が出力する呼出中音を音声端末５（電話機５１）へ送出する（Ｓ１６１８）。
【０１５３】
この状態において、操作者が電話機５２をオフフックし呼出に応答すると（Ｓ１６１９）、電話機５２からＶｏＩＰ通信装置４２に対して応答信号が送出される（Ｓ１６２０）。ＶｏＩＰ通信装置４２は、音声端末ＩＦ部４０４によってこの応答信号を受信すると、呼制御部４０１にこれを伝える。呼制御部４０１では、この応答を認識して、ＩＰパケット処理部４０６に対してＶｏＩＰ通信装置４１に応答メッセージを送出する指示を行い、ＬＡＮＩＦ部４０５を介してＶｏＩＰ通信装置４１に対して応答メッセージを送出する（Ｓ１６２１）。
【０１５４】
この応答メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により応答メッセージであることを認識し、ＩＰパケット処理部４０６に対してＶｏＩＰ通信装置４２に対して受信確認メッセージを送出する指示を行い、ＬＡＮＩＦ部４０５を介してＶｏＩＰ通信装置４２に対して受信確認メッセージを送出する（Ｓ１６２２）。
【０１５５】
以上の動作によって通話路が確立され、ＶｏＩＰ通信装置４１とＶｏＩＰ通信装置４２との間で、例えば、ＲＴＰ（Real Time Protocol）によってＩＰパケットによる音声通話（ＶｏＩＰ）での通話が行われる。また、ＶｏＩＰ通信装置４１およびＶｏＩＰ通信装置４２は、それぞれ電話機５１および電話機５２を音声端末ＩＦ部４０４、ＩＰパケット処理部４０６およびＬＡＮＩＦ部４０５を介してＩＰ網１に接続して、電話機５１と電話機５２間の通話状態となる（Ｓ１６２３）。
【０１５６】
通話終了のため、電話機５１の操作者がオンフックすると（Ｓ１６２４）、電話機５１からＶｏＩＰ通信装置４１に対して切断信号が送出される（Ｓ１６２５）。ＶｏＩＰ通信装置４１は、音声端末ＩＦ部４０４によってこの切断信号を受信すると、呼制御部４０１にこれを伝える。呼制御部４０１では、この切断を認識して、ＩＰパケット処理部４０６に対してＶｏＩＰ通信装置４２にセッション終了メッセージを送出する指示を行い、ＬＡＮＩＦ部４０５を介してＶｏＩＰ通信装置４２に対してセッション終了メッセージを送出する（Ｓ１６２６）。
【０１５７】
このセッション終了メッセージを受信したＶｏＩＰ通信装置４２は、ＬＡＮＩＦ部４０５を介してＩＰパケット処理部４０６で通知情報を抽出し、これを呼制御部４０１に伝える。呼制御部４０１では、通知情報によりセッション終了メッセージであることを認識し、電話機５２に終話音（ビジー・トーン：ＢＴ）を送出するようにトーン生成部４０２に指示を行い、音声端末ＩＦ部４０４を介して電話機５２に終話音を送出する（Ｓ１６２７）。
【０１５８】
また、呼制御部４０１は、この処理と平行して、ＩＰパケット処理部４０６に対してＶｏＩＰ通信装置４１に受信確認メッセージを送出する指示を行い、ＬＡＮＩＦ部４０５を介してＶｏＩＰ通信装置４２に対して受信確認メッセージを送出する（Ｓ１６２８）。
【０１５９】
そして、この受信確認メッセージを受信したＶｏＩＰ通信装置４１は、ＬＡＮＩＦ部４０５を介してＩＰパケット処理部４０６で通知情報を抽出し、これを呼制御部４０１に伝える。呼制御部４０１では、通知情報により受信確認メッセージであることを認識し、通話の解放処理を行う。
【０１６０】
以上のとおり、サーバ装置７２および７３の障害や回線障害で、サーバ装置７２および７３の両方（全てのサーバ装置）が応答しない場合に、ＶｏＩＰ通信装置４１が自らＩＰアドレスを登録している相手先であれば、直接ＶｏＩＰ通信装置４２と通信接続処理を行い、ＶｏＩＰ通信装置４１に接続された電話機５１が、ＶｏＩＰ通信装置４２に接続された電話機５２と接続され、ＩＰパケットによる音声通話（ＶｏＩＰ）を行う。
【図面の簡単な説明】
【０１６１】
【図１】本発明の第１実施形態が適用されたＶｏＩＰ通信システムの概略図である。
【図２】図１に示すＶｏＩＰ通信装置４１〜４６の概略構成図である。
【図３】図２に示すＣＡ記憶部４０３ａの登録内容例を示す図である。
【図４】図２に示す対応記憶部４０３ｂの登録内容例を示す図である。
【図５】図１に示すＩＰ電話機６１、６２の概略構成図である。
【図６】図５に示すＣＡ記憶部６０３ａの登録内容例を示す図である。
【図７】図５に示す対応記憶部６０３ｂの登録内容例を示す図である。
【図８】図１に示すサーバ装置７１の概略構成図である。
【図９】図８に示す対応記憶部７０３の登録内容例を示す図である。
【図１０】図１に示す電話機５１から電話機５２に発呼した場合の正常動作シーケンスを説明するための図である。
【図１１】図１に示す電話機５１から電話機５２に発呼した場合のサーバ装置７１が応答しない場合の動作シーケンスを説明するための図である。
【図１２】図１に示す電話機５１からＰＢＸ５３に発呼した場合のサーバ装置７１が応答しない場合の動作シーケンスを説明するための図である。
【図１３】図１に示すＩＰ電話機６１から電話機５２に発呼した場合のサーバ装置７１が応答しない場合の動作シーケンスを説明するための図である。
【図１４】本発明の第２実施形態が適用されたＶｏＩＰ通信システムの一部概略図である。
【図１５】本発明の第２実施形態に応じた、図２に示すＣＡ記憶部４０３ａの登録内容例を示す図である。
【図１６】図１および図１４に示す本発明の第２実施形態において、電話機５１から電話機５２に発呼した場合のサーバ装置７２および７３が応答しない場合の動作シーケンスを説明するための図である。
【符号の説明】
【０１６２】
１...ＩＰ網
２１〜２３...ＬＡＮ
３１〜３３...ルータ
４１〜４６...ＶｏＩＰ通信端末
５１、５２...音声端末（電話機）
５３...音声端末（ＰＢＸ）
６１、６２...ＩＰ電話機
７１〜７３...サーバ装置
４０１、６０１、７０１...呼制御部
４０２、６０２...トーン生成部
４０３、６０３...記憶部
４０４...音声端末ＩＦ部
６０４...通話部
４０５、６０５、７０５...ＬＡＮＩＦ部
４０６、６０６、７０６...パケット処理部
４０７...端末ＩＦ部
４０８、６０８...設定部
６０７...操作部
【図１】
2005094695.tif 000003
【図２】
2005094695.tif 000004
【図３】
2005094695.tif 000005
【図４】
2005094695.tif 000006
【図５】
2005094695.tif 000007
【図６】
2005094695.tif 000008
【図７】
2005094695.tif 000009
【図８】
2005094695.tif 000010
【図９】
2005094695.tif 000011
【図１０】
2005094695.tif 000012
【図１１】
2005094695.tif 000013
【図１２】
2005094695.tif 000014
【図１３】
2005094695.tif 000015
【図１４】
2005094695.tif 000016
【図１５】
2005094695.tif 000017
【図１６】
2005094695.tif 000018